(57)【要約】【課題】電力需要施設において設置された機器に関する情報を他の装置へ通知する構成において、通知内容を限定することが可能な需要家装置、機器情報管理方法および機器情報管理プログラムを提供する。【解決手段】需要家装置は、電力需要施設において用いられる１または複数の機器に関する機器情報を取得する取得部と、前記取得部によって取得された前記機器情報の中から通知内容を決定する決定部と、前記決定部によって決定された前記通知内容を、電力消費に関する演算処理を行う管理装置へ送信する送信部とを備える。【選択図】図１
2017055505.tif 000002
【特許請求の範囲】
【請求項１】
電力需要施設において用いられる１または複数の機器に関する機器情報を取得する取得部と、
前記取得部によって取得された前記機器情報の中から通知内容を決定する決定部と、
前記決定部によって決定された前記通知内容を、電力消費に関する演算処理を行う管理装置へ送信する送信部とを備える、需要家装置。
【請求項２】
前記取得部は、さらに、前記機器情報の一部または全部についての通知の可否を認識可能に指定するための指定情報を取得し、
前記決定部は、前記取得部によって取得された前記指定情報に基づいて前記通知内容を決定する、請求項１に記載の需要家装置。
【請求項３】
前記取得部は、複数の前記機器のそれぞれに関する複数の前記機器情報を取得し、
前記決定部は、前記取得部によって取得された前記機器情報の中から前記複数の機器のうちの一部の機器に関する前記機器情報を前記通知内容として決定する、請求項１または請求項２に記載の需要家装置。
【請求項４】
前記機器情報は、前記機器に関する動的情報を含み、
前記取得部は、前記機器情報を定期的または不定期に取得する、請求項１から請求項３のいずれか１項に記載の需要家装置。
【請求項５】
前記動的情報は、前記機器の消費電力、前記機器の消費電力量、前記機器の消費電流および前記機器の動作状態の少なくともいずれか１つを含む、請求項４に記載の需要家装置。
【請求項６】
前記決定部は、前記機器情報の含む値の累積値を前記通知内容として決定する、請求項１から請求項５のいずれか１項に記載の需要家装置。
【請求項７】
前記機器情報は、前記機器に関する静的情報を含む、請求項１から請求項６のいずれか１項に記載の需要家装置。
【請求項８】
前記静的情報は、前記機器の種類、前記機器の設置場所および前記機器の設定内容の少なくともいずれか１つを含む、請求項７に記載の需要家装置。
【請求項９】
前記決定部は、所定時間以上前の前記機器情報の中から前記通知内容を決定する、請求項１から請求項８のいずれか１項に記載の需要家装置。
【請求項１０】
前記需要家装置は、さらに、
前記送信部による前記通知内容の送信履歴を含むログ情報を作成するログ情報作成部を備える、請求項１から請求項９のいずれか１項に記載の需要家装置。
【請求項１１】
前記指定情報は、通知すべき内容として指定された情報を示し、
前記決定部は、前記取得部によって取得された前記機器情報の中から前記指定情報において指定されている情報を選択的に前記通知内容として決定する、請求項２に記載の需要家装置。
【請求項１２】
需要家装置における機器情報管理方法であって、
電力需要施設において用いられる１または複数の機器に関する機器情報を取得するステップと、
取得した前記機器情報の中から通知内容を決定するステップと、
決定した前記通知内容を、電力消費に関する演算処理を行う管理装置へ送信するステップとを含む、機器情報管理方法。
【請求項１３】
需要家装置において用いられる機器情報管理プログラムであって、コンピュータに、
電力需要施設において用いられる１または複数の機器に関する機器情報を取得するステップと、
取得した前記機器情報の中から通知内容を決定するステップと、
決定した前記通知内容を、電力消費に関する演算処理を行う管理装置へ送信するステップとを実行させるための、機器情報管理プログラム。
【発明の詳細な説明】
【技術分野】
【０００１】
本発明は、需要家装置、機器情報管理方法および機器情報管理プログラムに関し、特に、電力需要施設において用いられる需要家装置、機器情報管理方法および機器情報管理プログラムに関する。
【背景技術】
【０００２】
電力需要施設である住宅等における電力消費に関する情報を用いて、当該電力需要施設における節電を支援するためのサービスが提供されている。
【０００３】
たとえば、特許文献１（特開２０１２−１７４０３０号公報）には、以下のような技術が開示されている。すなわち、エネルギーマネジメントシステムは、住戸でのエネルギー消費量を取得するエネルギー消費量取得装置と、前記住戸で消費されたエネルギー消費量を表示する表示装置とで構成され、前記エネルギー消費量取得装置は、前記住戸で使用される負荷機器のエネルギー消費量を計測する計測手段から、所定の時間間隔で取得した計測結果を前記表示装置に送信する送信手段を備え、前記表示装置は、前記エネルギー消費量取得装置から送信されたエネルギー消費量の計測結果を受信する受信手段と、前記受信手段が受信したエネルギー消費量の計測結果に基づいて、エネルギー消費期間における居住者の生活行動を推測する推測手段と、エネルギー消費量と前記推測手段で推測された居住者の生活行動とを対応付けて表示する表示手段とを備える。
【０００４】
また、特許文献２（特開２００２−１８９７７９号公報）には、以下のような技術が開示されている。すなわち、エネルギー情報処理システムは、ネットワークを介して接続された家宅とサーバにより構築され、前記家宅で使用されるエネルギーの状況を管理するエネルギー情報処理システムであって、前記家宅には、その家宅全体での電力使用量と、個々の電気機器の電力使用量を測定する測定手段と、その測定手段で測定した電力使用量を前記ネットワークを介して前記サーバに向けて送信する通信手段を備え、前記サーバは、前記ネットワークを介して受け取った前記電力使用量の情報に基づき、エネルギー診断を行い、その診断結果を出力する機能を備え、前記エネルギー診断は、前記家宅全体での電力使用量に基づき、最適な契約条件を求める最適契約決定機能と、電力使用量を用途別に分解し、集計する電力使用量用途分解機能の少なくとも１つを備える。
【先行技術文献】
【特許文献】
【０００５】
【特許文献１】特開２０１２−１７４０３０号公報
【特許文献２】特開２００２−１８９７７９号公報
【発明の概要】
【発明が解決しようとする課題】
【０００６】
特許文献１および特許文献２に記載のシステムでは、たとえば、住宅において設置された各機器の消費電力量を、当該住宅の外部に設けられた装置に通知する。
【０００７】
しかしながら、自己の住宅における各機器の電力消費の状況等が外部に通知されることに対して抵抗を感じるユーザも存在する。
【０００８】
この発明は、上述の課題を解決するためになされたもので、その目的は、電力需要施設において設置された機器に関する情報を他の装置へ通知する構成において、通知内容を限定することが可能な需要家装置、機器情報管理方法および機器情報管理プログラムを提供する。
【課題を解決するための手段】
【０００９】
（１）上記課題を解決するために、この発明のある局面に係る需要家装置は、電力需要施設において用いられる１または複数の機器に関する機器情報を取得する取得部と、前記取得部によって取得された前記機器情報の中から通知内容を決定する決定部と、前記決定部によって決定された前記通知内容を、電力消費に関する演算処理を行う管理装置へ送信する送信部とを備える。
【００１０】
（１２）上記課題を解決するために、この発明のある局面に係る需要家装置は、需要家装置における機器情報管理方法であって、電力需要施設において用いられる１または複数の機器に関する機器情報を取得するステップと、取得した前記機器情報の中から通知内容を決定するステップと、決定した前記通知内容を、電力消費に関する演算処理を行う管理装置へ送信するステップとを含む。
【００１１】
（１３）上記課題を解決するために、この発明のある局面に係る需要家装置は、需要家装置において用いられる機器情報管理プログラムであって、コンピュータに、電力需要施設において用いられる１または複数の機器に関する機器情報を取得するステップと、取得した前記機器情報の中から通知内容を決定するステップと、決定した前記通知内容を、電力消費に関する演算処理を行う管理装置へ送信するステップとを実行させるためのプログラムである。
【００１２】
本発明は、このような特徴的な処理部を備える需要家装置として実現することができるだけでなく、需要家装置の一部または全部を実現する半導体集積回路として実現したり、需要家装置を含むシステムとして実現したりすることができる。
【発明の効果】
【００１３】
本発明によれば、電力需要施設において設置された機器に関する情報を他の装置へ通知する構成において、通知内容を限定することができる。
【図面の簡単な説明】
【００１４】
【図１】図１は、本発明の実施の形態に係る電力管理システムの構成を示す図である。
【図２】図２は、本発明の実施の形態に係る電力管理システムにおけるリスト作成処理のシーケンスを示す図である。
【図３】図３は、本発明の実施の形態に係る電力管理システムにおける施設情報の送信処理のシーケンスを示す図である。
【図４】図４は、本発明の実施の形態に係る電力管理システムにおける端末装置の表示部に表示された画面の一例を示す図である。
【図５】図５は、本発明の実施の形態に係る電力管理システムにおける端末装置の表示部に表示された画面の他の例を示す図である。
【図６】図６は、本発明の実施の形態に係る電力管理システムにおける需要家装置の構成を示す図である。
【発明を実施するための形態】
【００１５】
最初に、本発明の実施の形態の内容を列記して説明する。
【００１６】
（１）本発明の実施の形態に係る需要家装置は、電力需要施設において用いられる１または複数の機器に関する機器情報を取得する取得部と、前記取得部によって取得された前記機器情報の中から通知内容を決定する決定部と、前記決定部によって決定された前記通知内容を、電力消費に関する演算処理を行う管理装置へ送信する送信部とを備える。
【００１７】
このような構成により、たとえば、管理装置へ情報を送信しながら、ユーザが他者に知られたくない情報の管理装置への送信を防ぐことができる。したがって、電力需要施設において設置された機器に関する情報を他の装置へ通知する構成において、通知内容を限定することができる。
【００１８】
（２）好ましくは、前記取得部は、さらに、前記機器情報の一部または全部についての通知の可否を認識可能に指定するための指定情報を取得し、前記決定部は、前記取得部によって取得された前記指定情報に基づいて前記通知内容を決定する。
【００１９】
このような構成により、たとえば、管理装置への通知内容を外部から容易に指定することができる。
【００２０】
（３）好ましくは、前記取得部は、複数の前記機器のそれぞれに関する複数の前記機器情報を取得し、前記決定部は、前記取得部によって取得された前記機器情報の中から前記複数の機器のうちの一部の機器に関する前記機器情報を前記通知内容として決定する。
【００２１】
このような構成により、管理装置への通知内容に含める情報を機器ごとに決定することができる。
【００２２】
（４）好ましくは、前記機器情報は、前記機器に関する動的情報を含み、前記取得部は、前記機器情報を定期的または不定期に取得する。
【００２３】
このような構成により、たとえば、機器の動作に関する状況を示す情報を取得することができる。
【００２４】
（５）より好ましくは、前記動的情報は、前記機器の消費電力、前記機器の消費電力量、前記機器の消費電流および前記機器の動作状態の少なくともいずれか１つを含む。
【００２５】
このような構成により、機器の電力消費等、機器の動作に関する状況をより具体的に示す情報を取得することができる。
【００２６】
（６）好ましくは、前記決定部は、前記機器情報の含む値の累積値を前記通知内容として決定する。
【００２７】
このような構成により、たとえば、機器の消費電力等の推移が管理装置において詳細に把握されることを防ぐことができる。
【００２８】
（７）好ましくは、前記機器情報は、前記機器に関する静的情報を含む。
【００２９】
このような構成により、たとえば、機器の属性を示す情報を取得することができる。
【００３０】
（８）より好ましくは、前記静的情報は、前記機器の種類、前記機器の設置場所および前記機器の設定内容の少なくともいずれか１つを含む。
【００３１】
このような構成により、機器の属性等をより具体的に示す情報を取得することができる。
【００３２】
（９）好ましくは、前記決定部は、所定時間以上前の前記機器情報の中から前記通知内容を決定する。
【００３３】
このような構成により、たとえば、機器情報を取得してから所定時間経過後に、当該機器情報を管理装置へ通知することができるため、電力需要施設における機器の状況が管理装置においてリアルタイムに把握されることを防ぐことができる。
【００３４】
（１０）好ましくは、前記需要家装置は、さらに、前記送信部による前記通知内容の送信履歴を含むログ情報を作成するログ情報作成部を備える。
【００３５】
このような構成により、たとえば、ユーザが知られたくない情報が誤って管理装置に送信されていないかどうかをユーザが容易に確認することができる。
【００３６】
（１１）より好ましくは、前記指定情報は、通知すべき内容として指定された情報を示し、前記決定部は、前記取得部によって取得された前記機器情報の中から前記指定情報において指定されている情報を選択的に前記通知内容として決定する。
【００３７】
このような構成により、たとえば、ユーザの指定に従って、管理装置へ通知する内容を選択することができる。また、機器情報の中から情報が選択されることによって通知内容が決定されるため、選択前に情報が誤って送信されることを防ぐことができる。
【００３８】
（１２）本発明の実施の形態に係る機器情報管理方法は、需要家装置における機器情報管理方法であって、電力需要施設において用いられる１または複数の機器に関する機器情報を取得するステップと、取得した前記機器情報の中から通知内容を決定するステップと、決定した前記通知内容を、電力消費に関する演算処理を行う管理装置へ送信するステップとを含む。
【００３９】
このような方法により、たとえば、管理装置へ情報を送信しながら、ユーザが他者に知られたくない情報の管理装置への送信を防ぐことができる。したがって、電力需要施設において設置された機器に関する情報を他の装置へ通知する構成において、通知内容を限定することができる。
【００４０】
（１３）本発明の実施の形態に係る機器情報管理プログラムは、需要家装置において用いられる機器情報管理プログラムであって、コンピュータに、電力需要施設において用いられる１または複数の機器に関する機器情報を取得するステップと、取得した前記機器情報の中から通知内容を決定するステップと、決定した前記通知内容を、電力消費に関する演算処理を行う管理装置へ送信するステップとを実行させるためのプログラムである。
【００４１】
このような構成により、たとえば、管理装置へ情報を送信しながら、ユーザが他者に知られたくない情報の管理装置への送信を防ぐことができる。したがって、電力需要施設において設置された機器に関する情報を他の装置へ通知する構成において、通知内容を限定することができる。
【００４２】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００４３】
図１は、本発明の実施の形態に係る電力管理システムの構成を示す図である。
【００４４】
図１を参照して、電力管理システム１０１は、管理装置１０と、需要家装置１１と、複数の機器１２と、端末装置１３とを備える。
【００４５】
需要家装置１１、複数の機器１２および端末装置１３は、電力需要施設３において設置される。機器１２は、エアコン、テレビまたは冷蔵庫等の電気機器であり、たとえば、自己に関する情報である機器情報を需要家装置１１へ送信する。
【００４６】
機器情報は、たとえば、機器１２の動作状態の変化に応じて内容が変化する動的情報および機器１２の動作状態が変化しても内容の変化しない静的情報のいずれか一方または両方を含む。
【００４７】
具体的には、動的情報は、たとえば、機器１２の消費電力、機器１２の消費電力量、機器１２の消費電流および機器１２の動作状態の少なくともいずれか１つを含む。静的情報は、たとえば、機器１２の種類、機器１２の設置場所および機器１２の設定内容の少なくともいずれか１つを含む。
【００４８】
なお、機器１２が当該機器１２に関する機器情報を需要家装置１１へ送信する構成に限らず、たとえば、当該機器１２が接続された電源タップ等、他の機器が当該機器１２に関する機器情報を送信する構成であってもよい。
【００４９】
また、機器１２は、電力需要施設３において設置された電気機器に限らず、電力需要施設３において用いられるスマートメータ等の計測機器であってもよい。この場合、動的情報は、たとえば、電力需要施設３の消費電力、電力需要施設３の消費電力量および電力需要施設３の消費電流の少なくともいずれか１つを含む。
【００５０】
需要家装置１１は、たとえば、ＨＥＭＳ（Ｈｏｍｅ  Ｅｎｅｒｇｙ  Ｍａｎａｇｅｍｅｎｔ  Ｓｙｓｔｅｍ）におけるゲートウェイ装置である。需要家装置１１は、たとえばインターネットであるネットワーク１を介して、管理装置１０へ電力需要施設３に関する施設情報を送信する。施設情報は、たとえば、需要家装置１１が各機器１２から受信した機器情報の一部または全部を含む情報である。
【００５１】
端末装置１３は、スマートフォン、タブレットまたはパソコン等であり、施設情報に含めるべき機器情報を指定するための指定情報を需要家装置１１へ送信する。
【００５２】
管理装置１０は、たとえば、需要家装置１１を電力需要施設３に導入した事業者４によって運用されるサーバである。事業者４は、たとえば、管理装置１０を用いて、節電に関するサービスを電力需要施設３に提供する。
【００５３】
管理装置１０は、需要家装置１１から受信した施設情報に基づいて、電力消費に関する演算処理、具体的には、電力需要施設３における節電のための演算処理を行う。なお、管理装置１０は、電力需要施設３以外の他の電力需要施設における節電のための演算処理を行う構成であってもよい。
【００５４】
管理装置１０は、たとえば、演算結果に基づいて電力需要施設３の機器１２を制御するための制御情報を作成し、作成した制御情報を需要家装置１１へ送信する。需要家装置１１は、管理装置１０から受信した制御情報を機器１２へ送信する。
【００５５】
図２は、本発明の実施の形態に係る電力管理システムにおけるリスト作成処理のシーケンスを示す図である。
【００５６】
電力管理システム１０１における各装置は、コンピュータを備え、当該コンピュータにおけるＣＰＵ等の演算処理部は、以下のシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００５７】
図２を参照して、まず、需要家装置１１は、たとえば、電力需要施設３おいて設置されている機器１２を認識するために探索用情報を送信する（ステップＳ１１）。
【００５８】
次に、機器１２は、需要家装置１１から送信された探索用情報を受信して、自己の存在を通知するための応答情報を需要家装置１１へ送信する（ステップＳ１２）。
【００５９】
次に、需要家装置１１は、各機器１２から応答情報を受信して、電力需要施設３において設置されている機器１２を認識し、認識した内容に基づいて、機器１２のリストである機器リストを作成する（ステップＳ１３）。需要家装置１１は、作成した機器リストをたとえば自己の記憶部に保存する。
【００６０】
次に、需要家装置１１は、機器情報を要求するための情報要求Ｋを、機器リストに含まれる機器１２へ送信する（ステップＳ１４）。
【００６１】
次に、機器１２は、需要家装置１１から情報要求Ｋを受信して、自己の機器情報を需要家装置１１へ送信する（ステップＳ１５）。
【００６２】
次に、需要家装置１１は、機器１２から機器情報を受信して、機器情報に含まれる静的情報の内容を確認する。たとえば、需要家装置１１は、作成した機器リスト（ステップＳ１３）に、各機器１２の静的情報の内容、具体的には、機器１２の種別および設置場所等を追加し、当該機器リストの更新を行う。
【００６３】
この時点では、需要家装置１１は、施設情報に含めるべき機器情報を指定するための指定情報を端末装置１３から受信していない。このため、需要家装置１１は、施設情報を管理装置１０へ送信しない。
【００６４】
図３は、本発明の実施の形態に係る電力管理システムにおける施設情報の送信処理のシーケンスを示す図である。
【００６５】
図３は、たとえば、図２において説明したリスト作成処理の後に行われる処理を示している。
【００６６】
図３を参照して、まず、端末装置１３は、機器リストを含むリスト情報を要求するための情報要求Ｌを需要家装置１１へ送信する（ステップＳ３０）。
【００６７】
次に、需要家装置１１は、端末装置１３から情報要求Ｌを受信して、リスト情報を端末装置１３へ送信する（ステップＳ３１）。
【００６８】
次に、端末装置１３は、需要家装置１１からリスト情報を受信して、受信したリスト情報の内容をたとえば自己の表示部であるタッチパネルに表示する。
【００６９】
図４は、本発明の実施の形態に係る電力管理システムにおける端末装置の表示部に表示された画面の一例を示す図である。
【００７０】
図４を参照して、画面には、リスト情報の内容が表示されている。詳細には、画面には、機器リストＴａ１と、「ＯＫ」と表示されたボタンＢ１と、「キャンセル」と表示されたボタンＢ２とが表示されている。機器リストＴａ１は、電力需要施設３において設置されている機器１２の「種別」および「設置場所」を示している。
【００７１】
ユーザが、機器リストＴａ１に示された機器１２のうちの一部または全部にチェックを入れた後、「ＯＫ」と表示されたボタンＢ１をタップすると、チェックが入れられた機器１２の機器情報が施設情報に含められるべき情報として登録される。
【００７２】
再び図３を参照して、端末装置１３は、ユーザの操作（ステップＳ３２）を受けて登録した内容に基づいて、施設情報に含めるべき情報を指定するための指定情報を作成し、作成した指定情報を需要家装置１１へ送信する（ステップＳ３３）。
【００７３】
次に、需要家装置１１は、端末装置１３から指定情報を受信して、受信した指定情報の内容である指定内容をたとえば自己の記憶部に保存する（ステップＳ３４）。
【００７４】
次に、需要家装置１１は、機器情報を要求するための情報要求Ｋを各機器１２へ送信する（ステップＳ３５）。
【００７５】
次に、機器１２は、需要家装置１１から情報要求Ｋを受信して、自己の機器情報を需要家装置１１へ送信する（ステップＳ３６）。
【００７６】
次に、需要家装置１１は、各機器１２から機器情報を受信すると、施設情報に含める機器情報、すなわち管理装置１０への通知内容を決定する（ステップＳ３７）。具体的には、需要家装置１１は、各機器１２の機器情報のうち、自己の記憶部に保存された指定内容の示す機器情報を施設情報に含める機器情報に決定する。
【００７７】
次に、需要家装置１１は、決定した機器情報を含む施設情報を作成し、作成した施設情報を管理装置１０へ送信する（ステップＳ３８）。
【００７８】
電力管理システム１０１は、ステップＳ３５〜Ｓ３８の動作を定期的たとえば３０分ごとに行う。なお、電力管理システム１０１は、当該動作を不定期に行う構成であってもよい。すなわち、電力管理システム１０１は、当該動作を繰り返し行う構成であればよい。
【００７９】
次に、たとえばユーザは、端末装置１３を操作することにより、ログ情報を要求するためのログ要求情報を端末装置１３から需要家装置１１へ送信する（ステップＳ３９）。ログ情報は、たとえば、需要家装置１１が施設情報に含めて管理装置１０へ送信した機器情報の送信履歴を示す情報である。
【００８０】
次に、需要家装置１１は、端末装置１３からログ要求情報を受信して、端末装置１３へログ情報を送信する（ステップＳ４０）。
【００８１】
次に、端末装置１３は、需要家装置１１からログ情報を受信して、受信したログ情報の内容を自己の表示部に表示する。
【００８２】
図５は、本発明の実施の形態に係る電力管理システムにおける端末装置の表示部に表示された画面の他の例を示す図である。
【００８３】
図５を参照して、画面には、ログ情報の内容を示すリストＴａ２が表示されている。この例では、需要家装置１１が、電力需要施設３に設置されたスマートメータの機器情報と、リビングに設置されたエアコンの機器情報と、リビングに設置されたテレビの機器情報とを施設情報に含めて管理装置１０へ送信した場合のログ情報の内容が示されている。施設情報は、３０分ごとに送信されている。また、需要家装置１１は、２０１５年６月１９日１１時００分００秒に施設情報を送信しようとしたが失敗している。
【００８４】
ユーザは、当該画面を確認し、自己が登録した機器情報以外の情報が管理装置１０へ送信されていないことを確認することができる。
【００８５】
図６は、本発明の実施の形態に係る電力管理システムにおける需要家装置の構成を示す図である。
【００８６】
図６を参照して、需要家装置１１は、取得部２１と、処理部（決定部）２２と、記憶部２３と、ログ情報作成部２４と、送信部２５とを備える。記憶部２３は、予め作成された機器リストを記憶している。
【００８７】
取得部２１は、管理装置１０への通知内容に関する指定内容を示す指定情報つまり機器情報の一部または全部についての通知の可否を認識可能に指定するための指定情報を端末装置１３から取得する。具体的には、取得部２１は、管理装置１０に通知すべき内容としてユーザによって指定された情報を示す指定情報を端末装置１３から取得する。言い換えれば、指定情報は、施設情報に含めるべき情報を指定するための情報である。取得部２１は、取得した指定情報を処理部２２へ出力する。
【００８８】
処理部２２は、取得部２１から受けた指定情報の内容である指定内容を記憶部２３に保存する。
【００８９】
処理部２２は、たとえば、機器情報を要求するための情報要求Ｋを定期的に作成し、作成した情報要求Ｋを送信部２５へ出力する。
【００９０】
送信部２５は、処理部２２から受けた情報要求Ｋを、記憶部２３の記憶する機器リストに含まれる各機器１２へ送信する。
【００９１】
取得部２１は、電力需要施設３において用いられる複数の機器１２に関する機器情報を取得する。具体的には、たとえば、取得部２１は、複数の機器１２のそれぞれに関する複数の機器情報を取得する。より具体的には、たとえば、取得部２１は、情報要求Ｋの送信先である各機器１２から機器情報を取得する。取得部２１は、取得した機器情報を処理部２２へ出力する。
【００９２】
処理部２２は、取得部２１によって取得された機器情報の中から管理装置１０への通知内容を決定する。具体的には、たとえば、処理部２２は、取得部２１によって取得された指定情報に基づいて管理装置１０への通知内容を決定する。
【００９３】
より具体的には、たとえば、処理部２２は、記憶部２３の記憶する指定情報に基づいて、取得部２１によって取得された各機器情報の中から、複数の機器１２のうちの一部の機器１２に関する機器情報を管理装置１０への通知内容として決定する。
【００９４】
より具体的には、たとえば、処理部２２は、取得部２１から各機器１２の機器情報を受けると、記憶部２３の記憶する指定情報の内容である指定内容を確認し、各機器情報の中から指定情報において指定されている機器情報を選択的に管理装置１０への通知内容として決定する。処理部２２は、決定した通知内容を含む施設情報を作成し、作成した施設情報を送信部２５へ出力する。また、処理部２２は、取得部２１から受けた各機器情報を記憶部２３に保存する。
【００９５】
なお、指定情報は、機器情報単位で指定内容を示す構成に限らず、機器情報の一部を指定内容として示す構成であってもよい。この場合、処理部２２は、指定情報によって指定された機器情報の一部を管理装置１０への通知内容として決定する。
【００９６】
送信部２５は、処理部２２によって決定された通知内容を、節電のための演算処理を行う管理装置１０へ送信する。具体的には、送信部２５は、処理部２２から受けた施設情報を管理装置１０へ送信する。
【００９７】
送信部２５は、送信した施設情報の内容すなわち送信した機器情報を示す送信内容情報をログ情報作成部２４へ出力する。
【００９８】
ログ情報作成部２４は、送信部２５から受けた送信内容情報に基づいて、送信部２５による管理装置１０への通知内容の送信履歴を示すログ情報を作成し、作成したログ情報を記憶部２３に保存する。ログ情報作成部２４は、たとえば、送信部２５から新たな送信内容情報を受けると、当該送信内容情報に基づいて、記憶部２３の記憶するログ情報を更新する。
【００９９】
取得部２１は、端末装置１３から送信されたログ要求情報を取得して、取得したログ要求情報を処理部２２へ出力する。
【０１００】
処理部２２は、取得部２１からログ要求情報を受けると、記憶部２３からログ情報を取得し、取得したログ情報を送信部２５へ出力する。送信部２５は、処理部２２から受けたログ情報を端末装置１３へ送信する。
【０１０１】
なお、本発明の実施の形態に係る電力管理システム１０１では、処理部２２は、各機器情報の中から指定情報において指定されている機器情報を選択的に管理装置１０への通知内容として決定する構成であるとしたが、これに限定するものではない。たとえば、処理部２２は、各機器情報の中から指定情報において指定されている機器情報を選択的に除外し、残りの機器情報を管理装置１０への通知内容として決定する構成であってもよい。この場合、指定情報は、管理装置１０に通知すべきでない機器情報を示す。
【０１０２】
また、本発明の実施の形態に係る需要家装置１１は、機器１２から受信した機器情報の示す値を用いて演算を行い、演算結果を管理装置１０への通知内容として決定する構成であってもよい。
【０１０３】
具体的には、たとえば、処理部２２は、機器情報によって示される値の累積値を管理装置１０への通知内容として決定する。
【０１０４】
より具体的には、たとえば、処理部２２は、各機器１２からの機器情報に含まれる消費電力に基づいて、機器１２ごとの消費電力量を算出し、算出した消費電力量を管理装置１０への通知内容として決定する。そして、処理部２２は、決定した通知内容を含む施設情報を作成し、作成した施設情報を送信部２５へ出力する。
【０１０５】
また、本発明の実施の形態に係る需要家装置１１は、所定時間前の機器情報の中から管理装置１０への通知内容を決定する構成であってもよい。
【０１０６】
具体的には、たとえば、処理部２２は、所定時間以上前に取得部２１によって取得された機器情報の中から、管理装置１０への通知内容を決定する。
【０１０７】
たとえば、処理部２２は、取得部２１から受けた各機器１２の機器情報を記憶部２３に保存する。処理部２２は、たとえば、取得部２１が各機器情報を受信してから１２時間後に、当該各機器情報を記憶部２３から取得し、取得した各記憶部２３の中から管理装置１０への通知内容を決定する。そして、処理部２２は、決定した通知内容を含む施設情報を作成し、作成した施設情報を送信部２５へ出力する。
【０１０８】
また、機器情報が自己の作成された時刻を含む場合、処理部２２は、所定時間以上前に作成された機器情報の中から、管理装置１０への通知内容を決定してもよい。
【０１０９】
ところで、特許文献１および特許文献２に記載のシステムでは、たとえば、住宅において設置された各機器の消費電力量を、当該住宅の外部に設けられた装置に通知する。
【０１１０】
しかしながら、自己の住宅における各機器の電力消費の状況等が外部に通知されることに対して抵抗を感じるユーザも存在する。
【０１１１】
これに対して、本発明の実施の形態に係る需要家装置では、取得部２１は、電力需要施設３において用いられる１または複数の機器１２に関する機器情報を取得する。処理部２２は、取得部２１によって取得された機器情報の中から通知内容を決定する。送信部２５は、処理部２２によって決定された通知内容を、電力消費に関する演算処理を行う管理装置１０へ送信する。
【０１１２】
このような構成により、たとえば、管理装置１０へ情報を送信しながら、ユーザが他者に知られたくない情報の管理装置１０への送信を防ぐことができる。
【０１１３】
つまり、電力需要施設３において設置されている機器１２の種類、機器１２の台数、機器１２が設置されている部屋、および機器１２の稼働状況等、ユーザが他者に知られたくない情報が、電力需要施設３の外部に設置された他の装置に通知されることを防ぐことができる。
【０１１４】
したがって、本発明の実施の形態に係る需要家装置では、電力需要施設３において設置された機器１２に関する情報を他の装置へ通知する構成において、通知内容を限定することができる。
【０１１５】
また、本発明の実施の形態に係る需要家装置では、取得部２１は、さらに、機器情報の一部または全部についての通知の可否を認識可能に指定するための指定情報を取得する。処理部２２は、取得部２１によって取得された指定情報に基づいて上記通知内容を決定する。
【０１１６】
このような構成により、たとえば、管理装置１０への通知内容を外部から容易に指定することができる。
【０１１７】
また、本発明の実施の形態に係る需要家装置では、取得部２１は、複数の機器１２のそれぞれに関する複数の機器情報を取得する。処理部２２は、取得部２１によって取得された機器情報の中から複数の機器１２のうちの一部の機器１２に関する機器情報を上記通知内容として決定する。
【０１１８】
このような構成により、管理装置１０への通知内容に含める情報を機器１２ごとに決定することができる。
【０１１９】
また、本発明の実施の形態に係る需要家装置では、取得部２１は、機器情報を定期的または不定期に取得する。機器情報は、動的情報を含む。動的情報は、機器１２に関する情報であって、機器１２の動作状態の変化に応じて内容が変化する情報である。
【０１２０】
このような構成により、たとえば、機器１２の動作に関する状況を示す情報を取得することができる。
【０１２１】
また、本発明の実施の形態に係る動的情報は、機器１２の消費電力、機器１２の消費電力量、機器１２の消費電流および機器１２の動作状態の少なくともいずれか１つを含む。
【０１２２】
このような構成により、機器１２の電力消費等、機器１２の動作に関する状況をより具体的に示す情報を取得することができる。
【０１２３】
また、本発明の実施の形態に係る需要家装置では、処理部２２は、機器情報の含む値の累積値を通知内容として決定する。
【０１２４】
このような構成により、たとえば、機器１２の消費電力等の推移が管理装置１０において詳細に把握されることを防ぐことができる。
【０１２５】
また、本発明の実施の形態に係る機器情報は、機器１２に関する静的情報を含む。静的情報は、機器１２に関する情報であって、機器１２の動作状態が変化しても内容の変化しない情報である。
【０１２６】
このような構成により、たとえば、機器１２の属性を示す情報を取得することができる。
【０１２７】
また、本発明の実施の形態に係る静的情報は、機器１２の種類、機器１２の設置場所および機器１２の設定内容の少なくともいずれか１つを含む。
【０１２８】
このような構成により、機器１２の属性等をより具体的に示す情報を取得することができる。
【０１２９】
また、本発明の実施の形態に係る需要家装置では、処理部２２は、所定時間以上前の機器情報の中から通知内容を決定する。
【０１３０】
このような構成により、たとえば、機器情報を取得してから所定時間経過後に、当該機器情報を管理装置１０へ通知することができるため、電力需要施設３における機器１２の状況が管理装置１０においてリアルタイムに把握されることを防ぐことができる。
【０１３１】
また、本発明の実施の形態に係る需要家装置では、ログ情報作成部２４は、送信部２５による通知内容の送信履歴を含むログ情報を作成する。
【０１３２】
このような構成により、たとえば、ユーザが知られたくない情報が誤って管理装置１０に送信されていないかどうかをユーザが容易に確認することができる。
【０１３３】
また、本発明の実施の形態に係る需要家装置では、処理部２２は、取得部２１によって取得された機器情報の中から指定情報において指定されている情報を選択的に通知内容として決定する。指定情報は、通知すべき内容として指定された情報を示す。
【０１３４】
このような構成により、たとえば、ユーザの指定に従って、管理装置１０へ通知する内容を選択することができる。また、機器情報の中から情報が選択されることによって通知内容が決定されるため、選択前に情報が誤って送信されることを防ぐことができる。
【０１３５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１３６】
以上の説明は、以下に付記する特徴を含む。
【０１３７】
［付記］
電力需要施設において用いられる１または複数の機器に関する機器情報を取得する取得部と、
前記取得部によって取得された前記機器情報の中から通知内容を決定する決定部と、
前記決定部によって決定された前記通知内容を、電力消費に関する演算処理を行う管理装置へ送信する送信部とを備え、
前記取得部は、さらに、前記通知内容に関する指定内容を示す指定情報を取得し、
前記決定部は、前記取得部によって取得された前記指定情報に基づいて前記通知内容を決定し、前記取得部によって前記指定情報が取得される前において前記通知内容を決定しない、需要家装置。
【符号の説明】
【０１３８】
１  ネットワーク
３  電力需要施設
４  事業者
１０  管理装置
１１  需要家装置
１２  機器
１３  端末装置
２１  取得部
２２  処理部
２３  記憶部
２４  ログ情報作成部
２５  送信部
１０１  電力管理システム
【図１】
2017055505.tif 000003
【図２】
2017055505.tif 000004
【図３】
2017055505.tif 000005
【図４】
2017055505.tif 000006
【図５】
2017055505.tif 000007
【図６】
2017055505.tif 000008